(57)【特許請求の範囲】
【請求項１】
光ファイバ装置であって、
シャーシと、
前記シャーシ内に設けられ、各々が前記シャーシの周りに独立して並進可能な複数個の光ファイバ機器トレーを受け入れるガイドシステムと、を有し、
前記複数個の光ファイバ機器トレーの各々は、複数の光ファイバモジュールを受け入れ、前記光ファイバモジュールは、前記シャーシの一端から設置可能であり、かつ前記シャーシの他端から取り出し可能であり、前記複数の光ファイバ機器トレーはそれぞれ前記シャーシに対して独立して並進可能であり、前記複数の光ファイバモジュールはそれぞれ前記光ファイバ機器トレーに対して独立して並進可能である、
ことを特徴とする光ファイバ装置。
【請求項２】
前記ガイドシステムは、各々が前記複数個の光ファイバ機器トレーの１つの光ファイバ機器トレーをそれぞれ受け入れる複数個のトレーガイドで構成されている、
請求項１記載の光ファイバ装置。
【請求項３】
前記ガイドシステムは、各々が前記複数個の光ファイバ機器トレーの１つの光ファイバ機器トレーに設けられた少なくとも１つのトレーレールを受け入れる複数個のトレーレールガイドで構成されている、
請求項１記載の光ファイバ装置。
【請求項４】
前記光ファイバ装置は、複数個のトレーロック特徴部を更に有し、前記複数個のトレーロック特徴部の各々は、前記複数個の光ファイバ機器トレーの１つの光ファイバ機器トレーを解除可能に保持するよう構成されている、
請求項１記載の光ファイバ装置。
【請求項５】
各々が前記複数個の光ファイバ機器トレーの１つの光ファイバ機器トレー内に設けられた複数個の光ファイバ引き回しトレーを更に有する、
請求項１記載の光ファイバ装置。
【請求項６】
前記複数個の光ファイバ引き回しトレーの各々は、ヒンジ機構体により前記複数個の光ファイバ機器トレーの１つの光ファイバ機器トレーにヒンジ式に取り付けられている、
請求項５記載の光ファイバ装置。
【請求項７】
前記ヒンジ機構体は、前記複数個の光ファイバ引き回しトレーを解除可能に傾けて解除時に前記複数個の光ファイバ機器トレーの１つの光ファイバ機器トレー周りに傾ける、
請求項６記載の光ファイバ装置。
【請求項８】
前記複数個の光ファイバ引き回しトレーの各々内に設けられた複数個の光ファイバ引き回しガイドを更に有する、
請求項５記載の光ファイバ装置。
【請求項９】
前記複数個の光ファイバ機器トレーの各々の中に設けられた複数のモジュールガイドを更に有し、前記複数のモジュールガイドはそれぞれ、少なくとも１つの光ファイバモジュールを受け入れる、
請求項１記載の光ファイバ装置。
【請求項１０】
前記複数のモジュールガイドは、
前記複数個の光ファイバ機器トレーの１つの光ファイバ機器トレーの第１の端部に設けられた第１のモジュールガイドと、
前記第１の端部と反対側の前記光ファイバ機器トレーの第２の端部に設けられた第２のモジュールガイドと、
前記第１のモジュールガイドと前記第２のモジュールガイドとの間で前記光ファイバ機器トレー内に設けられた少なくとも１つの中間モジュールガイドとを有する、
請求項９記載の光ファイバ装置。
【発明の詳細な説明】
【技術分野】
【０００１】
本発明の技術分野は、光ファイバ機器用の光ファイバモジュールに関する。光ファイバモジュールは、光ファイバ機器ラック及び／又はトレー内に収納可能である。
【０００２】
〔関連出願の説明〕
本願は、２００８年８月２９日に出願された米国特許仮出願第６１／１９０、５３８号（発明の名称：High Density Data Center Hardware、 Assemblies and Components）の優先権主張出願であり、この米国特許仮出願を参照により引用し、その記載内容全体を本明細書の一部とする。
【０００３】
本願は又、２００８年１０月２３日に出願された米国特許仮出願第６１／１９７、０６８号（発明の名称：High Density Data Center Hardware、 Assemblies and Components）の優先権主張出願であり、この米国特許仮出願を参照により引用し、その記載内容全体を本明細書の一部とする。
【０００４】
本願は又、２００８年１１月２５日に出願された米国特許出願第１２／３２３、４１５号（発明の名称：Independently Translatable Modules and Fiber Optic Equipment Trays in Fiber Optic Equipment）の優先権主張出願であり、この米国特許出願を参照により引用し、その記載内容全体を本明細書の一部とする。
【０００５】
本願は、同時係属中の米国特許出願第１２／３２３、４２３号（発明の名称：Rear-Installable Fiber Optic Modules and Equipment）に関連し、この米国特許出願を参照により引用し、その記載内容全体を本明細書の一部とする。
【０００６】
本願は又、同時係属中の米国特許出願第１２／３９４、４８３号（発明の名称：Rear Slidable Extension in a Fiber Optic Equipment Tray）に関連し、この米国特許出願を参照により引用し、その記載内容全体を本明細書の一部とする。
【背景技術】
【０００７】
光ファイバの使用の利点としては、極めて広い帯域幅及び極めて低いノイズ（雑音）の動作が挙げられる。これら利点に鑑みて、光ファイバは、種々の用途にますます普及しており、このような用途としては、ブロードバンド音声、映像及びデータ伝送が挙げられるが、これには限定されない。光ファイバを用いた光ファイバネットワークは、構内網と公衆網の両方により加入者に音声、映像及びデータ伝送を提供するよう開発されると共に利用されている。これら光ファイバネットワークは、１つの接続点から別の接続点に「生きている光ファイバ」を提供するために光ファイバをリンクする必要のある別々の接続点を含む場合が多い。この点に関し、光ファイバ機器は、相互接続を支援するためにデータ配信センタ又は中央局内に設置される。
【０００８】
光ファイバ機器は、用途上の要望に基づいてカスタマイズされる。光ファイバ機器は、典型的には、スペースを最大に活用するために機器ラック内に設けられたハウジング内に収納される。このような光ファイバ機器の一例は、光ファイバモジュールである。光ファイバモジュールは、ケーブル間光ファイバ接続を可能にすると共に光ファイバケーブル接続の極性を取り扱うよう設計されている。光ファイバモジュールは、典型的には、シャーシに取り付けられ、シャーシは、機器ラック又はハウジングの内部に設けられる。シャーシは、引き出しのように機器ラックから伸長又は引き出し可能であるトレーの形態で提供されるのが良い。これにより、光ファイバモジュールを機器ラックから取り外すことなく、光ファイバモジュール内に設けられた光ファイバアダプタ及び光ファイバアダプタに接続された任意の光ファイバケーブルへの技術者によるアクセスが可能である。
【発明の概要】
【発明が解決しようとする課題】
【０００９】
帯域幅の要望及び収益を上げる機会の増加のためにデータセンタ内における高い接続密度を提供する要望の増大により、光ファイバネットワークは、多くのケーブル光ファイバ心線数に移行している。多心型ケーブルは、多くのケーブル光ファイバ心線数を提供するために用いられると共に光ファイバネットワーク内における中継接続用に用いられている。一般に、高密度接続では、光コンポーネント及び光接続部にアクセスするのが困難になる。同じことは、高い接続密度を取り扱うために光ファイバモジュール内に設けられた光ファイバアダプタの個数の増大により光ファイバモジュールに当てはまる。密度の増大により、光コンポーネント及び光コネクタへの手によるアクセス並びにジャンパ接続部の引き回し及び組織化が困難になる。光ファイバ機器トレーがプルアウト機能を備えている場合であっても、光ファイバ機器トレー内の光コンポーネントへのアクセスを向上させると共にジャンパ接続部のすっきりとした引き回し及び組織化を向上させる要望が依然として存在する。
【課題を解決するための手段】
【００１０】
詳細な説明において開示される実施形態は、独立して並進可能な光ファイバモジュール及び／又は１つ又は２つ以上の光ファイバモジュールを収容した光ファイバ機器トレーを支持する光ファイバ機器及び装置を含む。幾つかの実施形態では、１つ又は２つ以上の光ファイバモジュールが、複数個の独立して並進可能な光ファイバ機器トレー内に設けられる。光ファイバ機器トレーは、光ファイバ機器内に設けられたトレーガイドシステム内に受け入れられる。このように、各光ファイバ機器トレーは、ガイドシステム内で独立して並進可能である。各光ファイバ機器トレー内に設けられた１つ又は２つ以上の光ファイバモジュールは、並進時にこれらのそれぞれの光ファイバ機器トレーと共に並進する。
【００１１】
１つ又は２つ以上のモジュールガイドも又、光ファイバ機器トレーの各々の中に設けられるのが良い。光ファイバモジュールは、１つ又は２つ以上のモジュールガイド内に設けられるのが良い。光ファイバモジュールは、モジュールガイド内で並進する。このように、所与の光ファイバ機器トレー内に設けられた各光ファイバモジュールは、同一の光ファイバ機器トレー並びにトレーガイドシステム内で他の光ファイバ機器トレーまで独立して並進可能な光ファイバ機器トレー内で他の光ファイバモジュールとは独立して並進可能である。
【００１２】
他の実施形態では、複数個の光ファイバモジュールは、中間光ファイバ機器トレーを必要としないで又はこの必要性がない状態で、光ファイバ機器内のモジュールガイドシステム内に設けられる。光ファイバモジュールの各々は、モジュールガイドシステム内に設けられている他の光ファイバモジュールとは独立して並進する。また、１つ又は２つ以上の光ファイバ機器トレーを設けることができる。光ファイバ機器トレーは、光ファイバ機器の前側端部に隣接して設けられていて、ガイドシステム内で光ファイバ機器の前側端部に向かって前方に動かされるときに１つ又は２つ以上の光ファイバモジュールを解除可能に保持するロック特徴部を有するのが良い。このように、光ファイバ機器トレーを引くと、光ファイバモジュールを光ファイバ機器から前方に並進させることができる。
【００１３】
本発明の追加の特徴及び利点は、以下の詳細な説明に記載され、一部は、この説明から当業者には容易に明らかであり又は以下の詳細な説明、特許請求の範囲の記載並びに添付の図面を含む本明細書に記載されているように本発明を実施することにより認識されよう。
【００１４】
上述の概要説明と以下の詳細な説明の両方は、本発明の実施形態を提供し、本発明をクレーム請求するときに本発明の性質及び特性を理解するための概観又は枠組を提供するようになっていることが解る。添付の図面は、本発明の一層の理解を可能にするために添付されており、本明細書に組み込まれてその一部をなす。図面は、本発明の種々の実施形態を記載しており、本明細書と一緒になって、本発明の原理及び作用を説明するのに役立つ。
【図面の簡単な説明】
【００１５】
【図１】一実施形態に従って例示の光ファイバ機器が後方設置型光ファイバモジュールを支持した状態の例示の光ファイバ機器ラックの前から見た斜視図である。
【図２Ａ】図１の後方設置型光ファイバモジュールを支持した光ファイバ機器を後ろから見た斜視図である。
【図２Ｂ】図１の光ファイバ機器内に設けられた光ファイバ機器トレーガイドの斜視図である。
【図３】後方設置型光ファイバモジュールが光ファイバ機器トレー内に設けられているモジュールガイド内に設置されていない状態の図１の光ファイバ機器内における個々の光ファイバ機器トレーの前から見た斜視図である。
【図４】図３の光ファイバ機器トレー内に後方設置可能な光ファイバモジュールの前から見た斜視図である。
【図５】図３の光ファイバ機器トレー内に設置された図４の後方設置型光ファイバモジュールを後ろから見た拡大斜視図である。
【図６】後方設置型光ファイバモジュールがモジュールガイド内に設置された状態の図３の光ファイバ機器トレーの前から見た斜視図である。
【図７】後方設置型光ファイバモジュールがモジュールガイドラインに設置された状態の図３の光ファイバ機器トレーの前から見た拡大斜視図である。
【図８】光ファイバ機器から伸長された光ファイバ機器トレーの前から見た斜視図である。
【図９】光ファイバ機器トレー内に支持された光ファイバモジュールへの前方からのアクセスを可能にするよう下降された光ファイバ機器トレーの光ファイバ引き回しガイドトレーの前から見た斜視図である。
【図１０】モジュールガイド内に設けられた後方設置型光ファイバモジュールを支持した別の例示の光ファイバ機器の前から見た斜視図である。
【図１１】図１０の後方設置型光ファイバモジュールを支持した光ファイバ機器を後ろから見た斜視図である。
【図１２】図１０の光ファイバ機器内における個々の光ファイバ機器トレーの前から見た斜視図である。
【図１３】図１０の光ファイバ機器内に設けられたモジュールガイド内に設置された後方設置型光ファイバモジュールを後ろから見た斜視図である。
【図１４】図１０の光ファイバ機器内のモジュールガイド内に設けられ、光ファイバモジュールを前方に引いたときに図１２の光ファイバ機器トレー内にロックされる後方設置型光ファイバモジュールを後ろから見た拡大斜視図である。
【図１５】図１４の光ファイバモジュールを後ろから見た斜視図である。
【図１６Ａ】図１５の光ファイバモジュール内の前側ロックラッチの拡大斜視図である。
【図１６Ｂ】図１５の光ファイバモジュール内の後側ロックの拡大斜視図である。
【図１７】モジュールガイド内に設置された後方設置型光ファイバモジュールを後ろから見た拡大斜視図である。
【図１８】光ファイバモジュールを光ファイバ機器トレーにロックすると共に光ファイバ機器トレーを図１０の光ファイバ機器のシャーシにロックするロック特徴部の斜視図である。
【図１９】後方設置型光ファイバモジュールがモジュールガイド内に設けられた状態の図１０の光ファイバ機器の前から見た斜視図である。
【図２０】後方設置型光ファイバモジュールがモジュールガイド内に設けられると共に光ファイバ機器トレーとインターロック関係をなすと共に１つの光ファイバ機器トレーが前方に伸長された状態の図１０の光ファイバ機器の断面側面図である。
【図２１】図２０の光ファイバ機器の前から見た斜視図である。
【図２２】後方設置型光ファイバモジュールを支持した別の例示の光ファイバ機器の前から見た斜視図である。
【図２３】図２２の後方設置型光ファイバモジュールを支持した光ファイバ機器を後ろから見た斜視図である。
【図２４Ａ】図２２の光ファイバ機器内の後方設置型光ファイバモジュールを支持したモジュールガイドの正面図である。
【図２４Ｂ】図２４Ａに示されたモジュールガイドの斜視図である。
【図２５】図２２の光ファイバ機器内に設けられたモジュールガイド内に配置されている光ファイバモジュールの前から見た斜視図である。
【図２６Ａ】光ファイバモジュールが全てのモジュールガイド内に設置された状態の図２２の光ファイバ機器及び光ファイバモジュールが光ファイバモジュール機器の前側端部を越えて前方に引かれるのを阻止するロック特徴部の正面図である。
【図２６Ｂ】光ファイバモジュールが全てのモジュールガイド内に設置された状態の図２２の光ファイバ機器及び光ファイバモジュールが光ファイバモジュール機器の前側端部を越えて前方に引かれるのを阻止するロック特徴部の正面図である。
【図２７】図２２の光ファイバ機器内に設けられたモジュールガイドによって支持された光ファイバモジュールの平面図である。
【図２８】後方設置型光ファイバモジュールを支持した別の例示の光ファイバ機器の前から見た斜視図である。
【図２９】図２８の後方設置型光ファイバモジュールを支持した光ファイバ機器を後ろから見た斜視図である。
【図３０】図２２の光ファイバ機器内に設けられた光ファイバモジュールの前から見た斜視図である。
【図３１】図２８の後方設置型光ファイバモジュールを支持した光ファイバ機器の別を後ろから見た斜視図である。
【図３２】光ファイバ引き回しトレーが或る特定の光ファイバモジュールへのアクセスを可能にするよう伸長されると共に下方に傾けられた状態の図２８の後方設置型光ファイバモジュールを支持した光ファイバ機器の別の前から見た斜視図である。
【図３３】光ファイバ引き回しトレーが伸長されて前方に傾けられた状態の図２８の後方設置型光ファイバモジュールを支持した光ファイバ機器の別の前から見た斜視図である。
【図３４】後方設置型光ファイバモジュールを支持した別の例示の光ファイバ機器の前から見た斜視図である。
【図３５】後方設置型光ファイバモジュールを支持した別の例示の光ファイバ機器の別の前から斜視図である。
【発明を実施するための形態】
【００１６】
次に、本発明の好ましい実施形態を詳細に参照するが、このような実施形態の実施例が添付の図面に示されており、添付の図面には、本発明の全ての実施形態ではなく幾つかの実施形態が示されている。確かに、本発明は、多種多様な形態で実施できるので本明細書において説明する実施形態に限定されるものと解されてはならず、これとは異なり、これら実施形態は、この開示が適用される法上の要件を満たすように提供されている。同一の参照符号は、可能な限り、同一のコンポーネント又は部分を示すために用いられている。
【００１７】
詳細な説明中に開示される実施形態は、独立して並進可能な光ファイバモジュール及び／又は１つ又は２つ以上の光ファイバモジュールを収容した光ファイバ機器トレーを支持する光ファイバ機器及び装置を含む。幾つかの実施形態では、１つ又は２つ以上の光ファイバモジュールが複数個の独立して並進可能な光ファイバ機器トレー内に設けられる。光ファイバ機器トレーは、光ファイバ機器内に設けられたトレーガイドシステム内に受け入れられる。このように、各光ファイバ機器トレーは、ガイドシステム内で独立して並進可能である。各光ファイバ機器トレー内に設けられた１つ又は２つ以上の光ファイバモジュールは、並進時にこれらのそれぞれの光ファイバ機器トレーと共に並進する。
【００１８】
１つ又は２つ以上のモジュールガイドも又、光ファイバ機器トレーの各々の中に設けられるのが良い。光ファイバモジュールは、１つ又は２つ以上のモジュールガイド内に設けられるのが良い。光ファイバモジュールは、モジュールガイド内で並進する。このように、所与の光ファイバ機器トレー内に設けられた各光ファイバモジュールは、同一の光ファイバ機器トレー並びにトレーガイドシステム内で他の光ファイバ機器トレーまで独立して並進できる光ファイバ機器トレー内の他の光ファイバモジュールとは独立して並進できる。
【００１９】
この点に関し、図１は、例示の光ファイバ機器１０を示している。光ファイバ機器１０は、ケーブル間光ファイバ接続部を支持すると共に複数個の光ファイバケーブル接続部を取り扱うようデータ配信センタ又は中央局のところに設けられるのが良い。以下に詳細に説明するように、光ファイバ機器１０は、各々が１つ又は２つ以上の後方設置型光ファイバモジュールを支持する１つ又は２つ以上の光ファイバ機器トレーを有する。光ファイバモジュールは、光ファイバアダプタモジュール又は任意他の形式の光ファイバモジュール若しくは光ファイバ装置であるのが良く、このようなモジュール又は装置は、光ファイバ接続部を支持するモジュール又は装置を含む。光ファイバモジュールと光ファイバ機器トレーの両方は、後方設置型であり、このことは、光ファイバモジュールや光ファイバ機器トレーを光ファイバ機器１０の後側部分から設置又は取り付け可能であるということを意味している。さらに、光ファイバ機器トレーとこれらの中に支持された光ファイバモジュールの両方は、設置、アクセス及び／又は取り外しのためにシャーシ周りに独立して並進可能である。
【００２０】
この点に関し、図１に示されているように、光ファイバ機器１０は、光ファイバ機器シャーシ１２（以下、単に「シャーシ１２」と称する）を有する。シャーシ１２は、光ファイバ機器ラック１４内に設置されている状態で示されている。光ファイバ機器ラック１４は、垂直に延びる２本の垂直レール１６Ａ、１６Ｂを有すると共に光ファイバ機器ラック１４内への光ファイバ機器１０の取り付けを容易にするための一連の孔１８を有している。光ファイバ機器１０は、垂直レール１６Ａ、１６Ｂ内に互いに上下に積み重ねられる棚の形態で光ファイバ機器ラック１４に取り付けられると共にこれによって支持される。図示のように、光ファイバ機器１０は、垂直レール１６Ａ、１６Ｂに取り付けられている。光ファイバ機器ラック１４は、１Ｕサイズの棚を支持することができ、“Ｕ”は、高さが標準の１．７５インチ（４．４４５ｃｍ）に等しい。本明細書において後でより詳細に説明するように、光ファイバ機器１０は、各々が１つ又は２つ以上の後方設置型光ファイバモジュール２２を支持した複数個の伸長可能な光ファイバ機器トレー２０を有している。この例では、光ファイバ機器１０は、光ファイバ１４４本分の密度を提供するが、密度は、この密度には限定されない。さらに又、以下に、より詳細に説明するように、光ファイバ機器トレー２０は、独立して並進可能であると共にこの中に支持された光ファイバモジュールにアクセスするためにアクセス可能である。
【００２１】
図２Ａは、図１に示されている光ファイバ機器１０を後ろから見た斜視図である。光ファイバ機器１０は、前側端部２４、後側部分２６、第１の端部２８及び第２の端部３０を備えたシャーシ１２内に設けられる。シャーシ１２の第１の端部２８は、シャーシ１２の第２の端部３０の反対側に設けられている。レールガイドシステム３２の形態をしたガイドシステムが後方設置型光ファイバモジュール２２を支持するために設けられている。レールガイドシステム３２は、シャーシ１２の第１の端部２８及び第２の端部３０にそれぞれ取り付けられた２つのトレーレールガイド３２Ａ、３２Ｂを有している。トレーレールガイド３２Ａ、３２Ｂは、光ファイバモジュール２２を支持した１つ又は２つ以上の光ファイバ機器トレーを支持するよう構成されており、これについては図３に示されていると共に以下において説明する。トレーレールガイド３２Ａ、３２Ｂにより、この中に設置された各光ファイバ機器トレー２０をシャーシ１２周りに並進させることができる。この例では、シャーシ１２は、互いに１つずつ上に積み重ねられた３つの光ファイバ機器トレー２０を支持している。トレーカバー３４がシャーシ１２内に設けられた頂部光ファイバ機器トレー２０の頂部上に且つトレーレールガイド３２Ａ、３２Ｂ内に設けられている。本明細書において後で説明するように、各光ファイバ機器トレー２０には、光ファイバモジュール２２に連結された光ファイバの引き回しを支持する光ファイバ引き回しトレー３６が取り付けられている。光ファイバ機器１０の前側端部２４からの光ファイバモジュール２２へのアクセスを可能にするために光ファイバ引き回しトレー３６を所望に応じて伸長させたり下降させたりすることができる。
【００２２】
図２Ｂは、トレーレールガイド３２Ａ、３２Ｂを詳細に示している。図２Ｂに示されているように、トレーレールガイド３２Ａ、３２Ｂは、一連のチャネル３８Ａ〜３８Ｃを形成し、各チャネル３８Ａ〜３８Ｃは、光ファイバ機器トレー２０を受け入れるよう構成されている。トレーレールガイド３２Ａ、３２Ｂにより、複数個の光ファイバトレー２０をコラム（列又は縦の並び）の形態に配置することができる。トレーレールガイド３２Ａ、３２Ｂは、端部分４０を有し、この端部分により、チャネル３８Ａ〜３８Ｃが停止し、光ファイバ機器トレー２０がこれを越えて伸長することができない。この端部４０は、これが光ファイバ機器１０の後側部分２６に隣接して位置するような向きに配置されている。トレーレールガイド３２Ａ、３２Ｂは、入口部分４２を更に有し、この入口部分を通って光ファイバ機器トレー２０をチャネル３８Ａ〜３８Ｃ内に挿入することができる。注目されるべきこととして、入口部分４２は、チャネル３８Ａ〜３８Ｃを閉鎖せず、したがって、入口部分４２を越えて光ファイバ機器トレー２０をシャーシ１２の後側部分２６に向かって伸長させて戻すことができるようになっている。このように、トレーレールガイド３２Ａ、３２Ｂは、後側部分２６からのシャーシ１２内への光ファイバ機器トレー２０の後方からの設置を支援する。
【００２３】
図３は、更に説明すると共に図示するためにシャーシ１２内に設けられておらず又はトレーレールガイド３２Ａ、３２Ｂ内に納められていない個々の光ファイバ機器トレー２０を示している。図３に示されているように、光ファイバ機器トレー２０は、主トレー部分４４及びこれに取り付けられた光ファイバ引き回しトレー３６を有している。光ファイバ引き回しトレー３６は、主トレー部分４４の各端部４８Ａ、４８Ｂに設けられたヒンジ４６Ａ、４６Ｂの形態をしているヒンジ機構体により主トレー部分４４に取り付けられている。主トレー部分４４は、光ファイバモジュール２２を支持したモジュールレールガイド５０の形態をしている複数個のモジュールガイドを有する。具体的に説明すると、光ファイバモジュール２２は、モジュールレールガイド５０内に設けられたトレーチャネル５４に結合されているレール（図４の要素５２Ａ、５２Ｂ）を有する。光ファイバモジュール２２は、少なくとも１つの中間モジュールレールガイド５０が光ファイバ機器トレー２０内に設けられている場合、ロウ（行又は横の並び）の配置状態で設けられる。複数個のトレーチャネル５４を各モジュールレールガイド５０中に設けることにより、複数個の光ファイバモジュール２２をコラムの配置状態で互いに上に積み重ねることができる。光ファイバモジュール２２をシャーシ１２の前側端部２４かシャーシ１２の後側部分２６かのいずれかに向かって光ファイバ機器トレー２０内のモジュールレールガイド５０内で動かすことができる。光ファイバ機器トレー２０も又、トレーレールガイド３２Ａ、３２Ｂ周りに動かすことができる。このように、光ファイバ機器トレー２０をトレーレールガイド３２Ａ、３２Ｂ周りに互いに独立して並進させることができ、所与の光ファイバ機器トレー２０内の光ファイバモジュール２２の各々をこれらのそれぞれのモジュールレールガイド５０内で独立して並進させることができる。
【００２４】
図３では、光ファイバ機器トレー２０は、５つのモジュールレールガイド５０を有し、このことは、光ファイバ機器トレー２０が４つの個々の光ファイバモジュール２２を支持することができるということを意味している。４つの光ファイバモジュール２２を図３の光ファイバ機器トレー２０内に設置することができ、或いは、所望に応じて又は設置要件に従って必要に応じて３つ以下の光ファイバモジュールを設置することができる。また、図３に示されると共に図４に詳細に示されているように、モジュールレールガイド５０は、トレーチャネル５４がモジュールレールガイド５０の後側端部５６で開口するよう構成されている。これにより、光ファイバモジュール２２をシャーシ１２の後側部分２６から光ファイバ機器トレー２０内に後方から設置できる。具体的に説明すると、光ファイバ機器トレー２０をモジュールレールガイド５０の後側端部５６がシャーシ１２の後側部分２６に向かって差し向けられるようシャーシ１２内に配置する。かくして、以下に詳細に説明するように、光ファイバモジュール２２をモジュールレールガイド５０の後側端部５６内に挿入し、モジュールレールガイド５０内で前方に押し、ついには、光ファイバモジュール２２が各モジュールレールガイド５０の前側端部５８に到達することができるようにする。解除を働かさない限り光ファイバモジュール２２がモジュールレールガイド５０の前側端部５８を越えて延びるのを阻止すべく図３に示されていないが、本明細書において後で説明するロック特徴部が設けられるのが良い。このように、光ファイバモジュール２２をシャーシ１２の後ろから設置することができるが、シャーシ１２の前側端部２４から伸長させてこれから取り出すことも可能である。
【００２５】
また、図３に示されているように、光ファイバ引き回しトレー３６は、板金又は他の材料を光ファイバ引き回しトレー３６の前側端部６０上にＵ字形になるようにそれ自体の上に曲げることにより形成されている。このようにすると、光ファイバ機器トレー２０、特に、この中に設けられているモジュールレールガイド５０内に設置された光ファイバモジュール２２から延びる光ファイバを光ファイバ引き回しトレー３６内に設けられると共に光ファイバ機器トレー２０の各端部４８Ａ、４８Ｂまで設けられたリップ部分２３の下に引き回すことができ、それにより他の光ファイバ機器に接続可能に引き回すことができる。
【００２６】
図４は、図１〜図３の光ファイバ機器トレー２０内に支持された光ファイバモジュール２２の一例を示している。図４に示されているように、光ファイバモジュール２２は、光ファイバモジュール２２の前側端部６６に設けられた多くの光ファイバアダプタ６４で構成されている。この例では、光ファイバアダプタ６４は、デュプレックスＬＣ型光ファイバコネクタ６８を受け入れる。しかしながら、所望の任意光ファイバ接続形式を光ファイバモジュール２２に設けても良い。光ファイバケーブル（図示せず）は、他の機器との光ファイバによる光結合を確立するよう光ファイバコネクタ６８から延びる。別の光ファイバアダプタ７０が光ファイバモジュール２２の後側端部７２に設けられている。この例では、光ファイバアダプタ７０は、最高１２本の光ファイバへの接続を達成するよう構成されたＭＴＰ型光ファイバアダプタである。光ファイバモジュール２２は又、光ファイバコネクタ６８と光ファイバモジュール２２の前側端部６６に設けられた光ファイバアダプタ６４及び光ファイバモジュール２２の後側端部７２に設けられた光ファイバアダプタ７０との間の極性を取り扱いことも可能である。
【００２７】
モジュールレール５２Ａ、５２Ｂが光ファイバモジュール２２の各側７４Ａ、７４Ｂに設けられている。モジュールレール５２Ａ、５２Ｂは、図３に示されているように光ファイバ機器トレー２０内のモジュールレールガイド５０のトレーチャネル５４内に挿入されるよう構成されている。このように、光ファイバモジュール２２を光ファイバ機器トレー２０内に設置することが望ましい場合、光ファイバモジュール２２の前側端部６６をシャーシ１２の後側部分２６から挿入するのが良い。具体的に説明すると、光ファイバモジュール２２の前側端部６６をモジュールレールガイド５０のトレーチャネル５４の後側端部５６の中に挿入する。このように、光ファイバモジュール２２は、光ファイバ機器トレー２０及びシャーシ１２内に後方から設置可能である。次に、光ファイバジュール２２をトレーチャネル５４内で前方に押すのが良く、すると、光ファイバモジュール２２は、ついにはモジュールレールガイド５０の前側端部５８に達する。このように、技術者は、光ファイバモジュール２２の後側端部７２に設けられている光ファイバアダプタ７０への光ファイバによる光結合を達成することができ、次に、光ファイバモジュール２２をシャーシ１２の後側部分２６から光ファイバ機器トレー２０内に設置することができる。
【００２８】
この点に関し、図５は、光ファイバ機器トレー２０及びこれらの中に設けられたモジュールレールガイド５０内に設置されている光ファイバモジュール２２を後ろから見た斜視図である。図５に示されているように、光ファイバモジュール２２がシャーシ１２の後側部分２６からモジュールレールガイド５０のトレーチャネル５４内に設置されると、光ファイバモジュール２２のモジュールレール５２Ａ、５２Ｂは、トレーチャネル５４内で前側端部２４に向かって動く。光ファイバモジュール２２を光ファイバモジュール２２が本明細書において後で説明するように前側端部２４内に設けられている停止部又はロック特徴部に達するまで前側端部２４に向かって動かすのが良い。ロックラッチ７８の形態をしたロック特徴部及び突起８０（図４）は、光ファイバモジュール２２を適切に固定することができるようトレーチャネル５４内に設けられた相補突起に係合する。ロックラッチ７８は、内方に付勢されていて、したがって、光ファイバモジュール２２をトレーレールガイド３２内に設置することができるが、ロックラッチ７８が外されて突起８０がモジュールレールガイド５０に係合するのを阻止するまでは光ファイバモジュール２２をシャーシ１２の後側部分２６に向かって引き戻すことができないようになっている。ロックラッチ７８は、これを光ファイバモジュール２２に向かって内方に押して突起８０をトレーチャネル５４から解除することによって外される。
【００２９】
光ファイバモジュール２２を光ファイバ機器トレー２０から取り出すことが望ましい場合、光ファイバモジュール２２をシャーシ１２の後側部分２６がシャーシ１２の前側端部２４かのいずれかから取り出すことができる。光ファイバモジュール２２をシャーシ１２の後側部分２６から取り出すため、光ファイバモジュール２２の後側端部７２内に設けられている引きループ７６をロックラッチ７８が内方にいったん離脱されると引くのが良い。ロックラッチ７８は、モジュールレール５２ａから外方に延びる突起８０の位置を制御し、光ファイバモジュール２２がモジュールレールガイド５０の或る特定の部分に沿って伸長されると、突起８０は、光ファイバモジュール２２がトレーチャネル５４に沿ってシャーシ１２の後側部分２６に向かって後方に動くのを阻止するようになっている。
【００３０】
図６は、図３の光ファイバ機器トレー２０を示しているが、後方設置型光ファイバモジュール２２がこのトレー内に設置されている。光ファイバモジュール２２は、光ファイバ機器トレーレール８２Ａ、８２Ｂ内に設けられたモジュールレールガイド５０内に設置されている。これら光ファイバ機器トレーレール８２Ａ、８２Ｂは、図２Ａに示されているようにシャーシ１２に取り付けられたモジュールレールガイド３２Ａ、３２Ｂ内に配置されるよう構成されており、光ファイバ機器トレー２０がシャーシ１２に対して並進可能であるようになっている。
【００３１】
図７は、図６の光ファイバ機器トレー２０を前から見た詳細斜視図である。図７に示されているように、３つの光ファイバ機器トレー２０がシャーシ１２のトレーレールガイド３２Ａ、３２Ｂ内に配置されている。図７に示されているように、光ファイバ引き回しトレー３６を光ファイバ機器トレー２０にヒンジ式に取り付けたヒンジ４６Ａ、４６Ｂが位置ヒンジ４７の形態で設けられている。位置ヒンジ４７は、位置ヒンジ４７を係合させたときに光ファイバモジュール２２を前方に伸長させることができないようモジュールレールガイド５０に係合するよう構成されている。光ファイバモジュール２２にアクセスすることが望ましい場合、光ファイバ引き回しトレー３６に取り付けられた引きタブ２５を前方に引いて光ファイバ機器トレー２０が図８に示されているようにシャーシ１２の前側端部２４から前方に伸長するようにするのが良い。その後、光ファイバトレー３６を図９に示されているように下方に傾けるのが良い。光ファイバ機器トレー２０及びその光ファイバ引き回しトレー３６を下方に傾けると、光ファイバ機器トレー２０の各側の位置ヒンジ４７は、その特定の光ファイバ機器トレー２０のためのモジュールレールガイド５０との係合関係が解かれてその光ファイバ機器トレー２０によって支持された光ファイバモジュール２２をシャーシ１２の前側端部２６から取り出すことができるようになっている。また、光ファイバ引き回しトレー３６を下方に傾けることができるようにすることにより、光ファイバ接続を確立し又は切り離すために光ファイバモジュールアダプタ７０及び光ファイバコネクタ６８への邪魔のないアクセスを得ることができる。
【００３２】
複数個の光ファイバモジュールも又、中間光ファイバ機器トレーを必要としないで光ファイバ機器内のモジュールガイドシステム内に設けることができる。このように、光ファイバモジュールの各々は、モジュールガイドシステム内に設けられている他の光ファイバモジュールとは独立して並進する。この点に関し、図１０は、別の実施形態としての光ファイバ機器１００を示している。光ファイバ機器１００は、後方設置型光ファイバモジュールを支持したシャーシ１０２内に設けられているモジュールガイドシステムを有する。本明細書において後で説明するように、光ファイバ機器１００は、後方設置型光ファイバモジュールのための別のガイドシステムを提供する。図１０では、光ファイバモジュール１０４は、光ファイバ機器１００のシャーシ１０２内に設けられたモジュールレールガイド１０６内に支持されている。これは、光ファイバモジュールがシャーシに取り付けられた中間光ファイバ機器トレー内に配置されている図１〜図９の光ファイバ機器１０とは対照的である。このように、図１０に示されているように、光ファイバ機器１００により、光ファイバモジュール１０４をシャーシ１０２内に設けられたモジュールレールガイド１０６内に挿入してモジュールレールガイド１０６周りに独立して並進させることができる。
【００３３】
図１０を参照すると、複数個の後方設置型光ファイバモジュール１０４が光ファイバ機器１００内に設置されている。光ファイバモジュール１０４は、複数個のモジュールレールガイド１０６によって支持されている。図１の光ファイバ機器１０とは異なり、モジュールレールガイド１０６は、シャーシ１０２に直接取り付けられている。光ファイバ機器１００からの光ファイバモジュール１０４の前方並進を支援するために光ファイバ機器トレー１０６が依然として設けられている。本明細書において後で説明するように、光ファイバモジュール１０４がシャーシ１０２の後側部分１１０からモジュールレールガイド１０６内に挿入されると、光ファイバモジュール１０４をモジュールレールガイド１０６内でシャーシ１０２の前側端部１１２まで前方に動かすことができる。すると、光ファイバモジュール１０４は、ラッチ（図示せず）に係合し、ラッチは、光ファイバモジュール１０４を光ファイバ機器トレー１０８に取り付ける。このように、光ファイバ機器トレー１０８をシャーシ１０２から前方に引くと、光ファイバモジュール１０４も又、光ファイバモジュール１０４と光ファイバ機器トレー１０８のインターロックに起因して光ファイバ機器トレー１０８と共に外方に動く。ただし、光ファイバモジュールは、モジュールレールガイド１０６によって依然として支持される。かくして、図１０の光ファイバ機器１００では、光ファイバ機器トレー１０８は、シャーシ１０２に対して独立して動くことができるが、光ファイバモジュール１０４は、図１の光ファイバ機器１０に同様に設けられた光ファイバ機器トレー１０８内で独立して動くことができない。
【００３４】
シャーシ１０２は、第１の端部１１４及び第２の端部１１６を更に有し、第２の端部１１６は、第１の端部１１４から見て反対側に設けられている。複数個のモジュールレールガイド１０６が第１の端部１１４と第２の端部１１６との間でシャーシ１０２内に設けられている。少なくとも１つの光ファイバモジュール１０４を支持するためには最低２つのモジュールレールガイド１０６が必要である。しかしながら、図１０に示されているように、レベル１つ（一段）当たり４つの光ファイバモジュール１０４を支持するのに５つのモジュールレールガイド１０６が設けられている。本明細書において後で詳細に説明するように、モジュールレールガイド１０６は、１つのレベル（段）又は平面をなして配置された光ファイバモジュール１０４を支持するために複数個のチャネル１１８を有するのが良い。図１０の光ファイバ機器１００の例では、３つのレベルをなした光ファイバモジュール１０４が設けられ、かくして、３つのチャネル１１８が各モジュールレールガイド１０６に設けられている。光ファイバ機器トレー１０８は各々、光ファイバ機器トレー１０８をシャーシ１０２から取り出すために引くことができる引き回しトレー１２０を有している。
【００３５】
図１１は、シャーシ１０２内に設けられたモジュールレールガイド１０６を後ろから見た斜視図であり、光ファイバモジュール１０４をシャーシ１０２の後側部分１１０からどのように設置するかを示している。さらに、図１１は、光ファイバ機器トレー１０８がモジュールレールガイド１０６によってどのように支持されているか及び光ファイバモジュール１０４が前方に引かれたときに光ファイバ機器トレー１０８にどのように取り付けられるかを示している。図１１に示されているように、光ファイバモジュール１０４を後側部分１１０からチャネル１１８内に挿入することができるモジュールレールガイド１０６が設けられている。次に、光ファイバモジュール１０４をモジュールレールガイド１０６と一緒にシャーシ１０２の前側端部１１２に向かって前方に押すのが良い。モジュールレールガイド１０６は、光ファイバ機器トレー１０８を受け入れるようチャネル１１８に実質的に垂直の平面内に配置された一連のトレーガイド１２２を更に有している。ただし、任意の向きが可能である。
【００３６】
図１２に示されているように、光ファイバ機器トレー１０８は、一連の細長い部分１２４を有している。細長い部分１２４は、モジュールレールガイド１０６内に設けられたトレーガイド１２２内にチャネル１１８の長手方向軸線に沿って挿入されるよう構成されている。かくして、図１３及び図１４に示されているように、光ファイバモジュール１０４がモジュールレールガイド１０６に沿って光ファイバ機器トレー１０８の前側部分１２６まで前方に一杯まで引かれると、前側モジュールラッチ１２８の形態をしたロック特徴部がシャーシ１０２の前側端部１１２に隣接して設けられた戻止め特徴部１３０とインターロックする。戻止め特徴部１３０は、光ファイバ機器トレー１０８に固定されている。このように、光ファイバモジュール１０４は、光ファイバ機器トレー１０８とインターロック状態になり、その結果、光ファイバ機器トレー１０８をシャーシ１０２の第１の端部１１４上で前方に並進させると、光ファイバモジュール１０４は、光ファイバ機器及び光ファイバ機器トレー１０８と一緒に前方に動くようになる。細長い部分１２４及び光ファイバ機器トレー１０８とインターロック状態にある光ファイバモジュール１０４は、たとえ光ファイバモジュール１０４が依然としてモジュールレールガイド１０６によって支持されていてもトレーガイド１２２周りに一緒に並進する。図１５は、光ファイバモジュール１０４を示すと共に特に前側モジュールラッチ１２８に関する細部を示している。
【００３７】
図１５に示されているように、光ファイバモジュール１０４は、光ファイバモジュール１０４の前側端部１３６で光ファイバコネクタ１３４を支持するよう構成された複数個の光ファイバアダプタ１３２で構成されている。光ファイバアダプタ１３８が光ファイバモジュール１０４の後側端部１４０に設けられている。図１５の光ファイバモジュール１０４のこの例では、光ファイバアダプタ１３２は、デュプレックスＬＣ型光ファイバアダプタであり、光ファイバモジュール１０４の後側端部１４０内に設けられた光ファイバアダプタ１３８は、ＭＴＰ型光ファイバアダプタである。ただし、任意の光ファイバ接続形式の採用は可能である。光ファイバ接続は、光ファイバコネクタ１３４とＭＴＰ型光ファイバアダプタ１３８に接続されたＭＴＰ型光ファイバコネクタ１４２との間に確率される。光ファイバアダプタ１３２、１３８相互間の接続を確立する光ファイバが光ファイバモジュール１０４内に設けられている。光ファイバモジュール１０４は、光ファイバモジュール１０４の第１の側部１４６及び第２の側部１４８にそれぞれ設けられた２つのモジュールレール１４４Ａ、１４４Ｂを更に有している。モジュールレール１４４Ａ、１４４Ｂは、モジュールレールガイド１０６のチャネル１１８内に挿入するよう固定されており、光ファイバモジュール１０４をモジュールレールガイド１０６内で並進させることができるようになっている。この点に関し、モジュールレールガイド１０６のチャネル１１８は、図１１に示されているように後側部分１１０内で開口しているので、光ファイバモジュール１０４は、光ファイバ機器１００内に後方から設置可能である。次に、光ファイバモジュール１０４を前側モジュールラッチ１２８が戻止め特徴部１３０に達するまでチャネル１１８内で前方に並進させるのが良い。前側モジュールラッチ１２８は、内方に付勢されており、前側モジュールラッチが戻止め特徴部１３０に達すると、前側モジュールラッチ１２８は、内方に撓み、戻止め特徴部１３０内に保持されるようになっている。前側モジュールラッチ１２８が戻止め特徴部１３０内にいったん保持されると、光ファイバモジュール１０４を前側モジュールラッチ１２８が戻止め特徴部１３０から解除されなければ、光ファイバ機器トレー１０８とは独立して後側部分１１０に向かって又は前側端部１１２に向かって引き戻すことができない。このように、前側モジュールラッチ１２８は、光ファイバモジュール１０４を解除可能に保持する。
【００３８】
図１６は、光ファイバモジュール１０４のための前側モジュールラッチ１２８を詳細に示している。図１６Ｂは、光ファイバモジュール１０４をモジュールレールガイド１０６内にロックするよう光ファイバモジュール１０４の後側端部１４０内に設けられるのが良い後側モジュールロック１５０の形態をしたロック特徴部を示している。このように、後側モジュールロックボタン１５２を図示のように右側に押すことによって後側モジュールロック１５０をロック解除しなければ、光ファイバモジュール１０４を光ファイバ機器１００の後側部分１１０に向かって取り出すことができない。後側モジュールロックボタン１５２を図示のように右側に動かすと、ラッチ１５４がモジュールレールガイド１０６のチャネル１１８から外されて光ファイバモジュール１０４を後側部分１１０から取り出すことができるようになっている。光ファイバモジュール１０４の後側端部１４０に取り付けられた引きループ１５６（図１５に示されている）を引くことにより光ファイバモジュール１０４を後側部分１１０から取り出すことができる。
【００３９】
図１７及び図１８は、戻止め特徴部１３０を示すと共に光ファイバ機器トレー１０８がシャーシ１０２内にどのようにインターロックされるかを示している。図１７及び図１８に示されているように、光ファイバ機器トレー１０８は、ブラケット１６０に固定された上方に延びるタブ１５８を有し、ブラケット１６０は、シャーシ１０２に取り付けられている。ブラケット１６０は、プランジャ１１６のフランジ１６４を受け入れるようになった一連の孔１６２を有している。各光ファイバ機器トレー１０８は、孔１６２と嵌合するようになった上方に延びるタブ１５８を貫通して設けられたプランジャ１６６を有している。光ファイバ機器トレー１０８をシャーシ１０２にロックすることが望ましい場合、プランジャ１６６を孔１６２内に嵌め込む。図１７及び図１８に示されているように、３つの孔１６２がブラケット１６０に設けられている。というのは、３つの光ファイバ機器トレー１０８が設けられているからである。各孔１６２は、上方に延びるタブ１５８を特定の光ファイバ機器トレー１０８から保持するよう設計されている。図１７は、シャーシ１０２の第２の端部１１６に設けられたブラケット１６０を示している。図示されていないが、ブラケット１６０は又、図１０に示されているようにシャーシ１０２の第１の端部１１４に設けられている。例えば光ファイバ機器トレー１０８をアクセスのために上方に引くために光ファイバ機器トレー１０８をシャーシ１０２から解除することが望ましい場合、プランジャ１６６を引き、これをブラケット１６０の対応の孔１６２から外す。このように、各光ファイバ機器トレー１０８は、前側端部１１２に向かって外方に自由に独立して並進することができ、細長い部分１２４は、モジュールレールガイド１０６内でトレーガイド１２２周りに前方に動かされる。
【００４０】
図１９は、光ファイバ機器１００及び戻止め特徴部１３０と係合している前側モジュールラッチ１２８により光ファイバ機器トレー１０８中にロックされた光ファイバモジュール１０４の前から見た斜視図である。図１９に示されているように、光ファイバ機器トレー１０８の各々は、これらのプランジャ１６６がブラケット１６０と係合することによりシャーシ１０２に固定されている。光ファイバ機器トレー１０８をシャーシ１０２から離脱させるため、プランジャ１６６を引いてプランジャ１６６をブラケットの孔１６２から離脱させる。このように、前側端部１１２に向かって加えられる引っ張り力により光ファイバ機器トレー１０８は、前方に並進される。これは、図２０及び図２１に示されている。図２０は、図２１の斜視図に示された光ファイバ機器１００の断面側面図であり、中間光ファイバ機器トレー１０８が伸長された状態を示す図である。図２０に示されているように、中間光ファイバ機器トレー１０８は、シャーシ１０２から伸長されている。中間光ファイバ機器トレー１０８のプランジャ１６６は、ブラケット１６０及びこれに設けられている孔１６２から離脱されている。
【００４１】
図２２は、これ又後方設置型光ファイバモジュールを支持した光ファイバ機器２００の更に別の例を示している。図１０〜図２１の光ファイバ機器１００と同様、図２２の光ファイバ機器２００内に支持された各光ファイバモジュールは、シャーシ内に設けられたモジュールレール内に支持されている。光ファイバモジュールは又、モジュールレール内で独立して並進可能である。
【００４２】
図２２に示されているように、１つ又は２つ以上の光ファイバモジュール２０４を保持するよう構成されたシャーシ２０２を含む光ファイバ機器２００が提供されている。光ファイバモジュール２０４は、モジュールレールガイド２０６の形態をしたガイドシステム上に支持されており、これらモジュールレールガイドは、図１０〜図２１の光ファイバ機器１００と同様にシャーシ２０２内に設けられると共にこれに取り付けられている。モジュールレールガイド２０６は、シャーシ２０２に取り付けられている。光ファイバモジュール２０４をシャーシ２０２の後側部分２１２内に設置してモジュールレールガイド２０６に沿ってシャーシ２０２の前側端部２１４まで移動させることができるようにするためにはシャーシ２０２の第１の端部２０８及びシャーシ２０２の第２の端部２１０に設けられることが必要なモジュールレールガイド２０６は２つに過ぎない。
【００４３】
本明細書において更に詳細に説明するように、モジュールレールガイド２０６は、光ファイバモジュール２０４の各側に設けられたレール（図２５の要素２１５）を受け入れるようになった１つ又は２つ以上のチャネル２１４（図２４Ａ及び図２４Ｂに示されている）を有している。チャネル２１６は、後側部分２１２内に開口しており、その結果、光ファイバモジュール２０４のレールをシャーシ２０２の後側部分２１２内のモジュールレールガイド２０６中に挿入してモジュールレールガイド２０６内で前方に移動させることができ、ついには、光ファイバモジュール２０４は、シャーシ２０２の前側端部２１４に達するようになる。これは、図２３に更に示されている。図２３に示されているように、光ファイバモジュール２０４は、モジュールレールガイド２０６内に部分的に挿入された状態で示されている。モジュールレール２１５Ａ、２１５Ｂは、光ファイバモジュール２０４の各側に設けられていて、モジュールレール２１５Ａ、２１５Ｂがモジュールレールガイド２０６のチャネル２１６と嵌合して光ファイバモジュール２０４をシャーシ２０２の後側部分２１２から前側端部２１４まで滑らせることができるようになっている。
【００４４】
図２４Ａ及び図２４Ｂは、図２２及び図２３の光ファイバ機器２００内に設けられたモジュールレールガイド２０６に関する詳細を示している。図２４Ａ及び図２４Ｂに示されているように、モジュールレールガイド２０６は、第１の端部２０８と第２の端部２１０との間に設けられた状態で示されている。この種のモジュールレールガイド２０６に関し、チャネル２１６は、モジュールレールガイド２０６の第１の側部２１８に設けられている。また、チャネル２２０は、モジュールレールガイド２０６の第２の側部２２４に設けられている。このように、モジュールレールガイド２０６は、各側で光ファイバモジュール２０４のレールを支持することができる。図２４Ａに示されているモジュールレールガイド２０６は、所与の平面内の２つ以上の光ファイバモジュール２０４が光ファイバ機器２００によって支持される場合、中間モジュールレールガイドとして設けられる。この場合、少なくとも１つの中間モジュールレールガイド２０６は、各側２１８、２２４に設けられたチャネル２１６、２２０を備えている。図２４Ａに示されているように、モジュールレールガイド２０６は、光ファイバモジュール２０４のモジュールレール２１５Ａ、２１５Ｂをチャネル２１６内に配置すると、光ファイバモジュール２０４がシャーシ２０２によって支持されるようにシャーシ２０２に取り付けられている。また、図２６Ａ及び図２６Ｂを参照して以下に詳細に説明するように、モジュールレールガイド２０６は、シャーシ２０２へのモジュールロック又は停止部の取り付けを支援する一連の内部孔２１９を更に有している。モジュールロック又は停止部は、光ファイバモジュール２０４がシャーシ２０２の前側端部２１４を越えて並進するのを阻止する。
【００４５】
図２５は、光ファイバ機器２００のモジュールレールガイド２０６によって支持されるようになった後方設置型光ファイバモジュール２０４を示している。図２５に示されているように、モジュールレール２１５Ａ、２１５Ｂは、光ファイバモジュール２０４の側部２２６、２２８にそれぞれ設けられている。これらモジュールレール２１５Ａ、２１５Ｂをモジュールレールガイド２０６中に挿入して光ファイバモジュール２０４を光ファイバ機器２００中に挿入することができる。モジュールレールガイド２０６のチャネル２２０は、シャーシ２０２の後側部分２１２内で開口しているので、光ファイバモジュール２０４は、後方から設置可能であり、このことは、光ファイバモジュール２０４をシャーシ２０２の後側部分２１２から設置できるということを意味している。光ファイバモジュール２０４は、光ファイバモジュール２０４の前側端部２３２に設けられた一連の光ファイバアダプタ２３０を有している。光ファイバアダプタ２３０に光結合された１つ又は２つ以上の光ファイバアダプタ２３０が光ファイバモジュール２０４の後側端部２３４に設けられている。このように、光ファイバアダプタ２３０に接続されたコネクタ接続光ファイバケーブル（図示せず）が光ファイバモジュール２０４の後側端部２３４内の光ファイバアダプタ２３０内に布設された光ファイバケーブル（図示せず）との光ファイバによる接続関係を確立する。
【００４６】
図２６Ａは、光ファイバモジュール２０４が上述したようにモジュールレールガイド２０６内に設置された状態の光ファイバ機器２００の正面図である。光ファイバモジュール２０４がシャーシ２０２の第１の端部２０８を越えて延びるのを阻止するため、停止部又はロック特徴部２３６が中間モジュールレールガイド２０６に設けられている光ファイバモジュール２０４のロウ相互間に設けられている。図２６Ｂは、停止部又はロック特徴部２３６を詳細に示しており、前から見た斜視図及び後側から見た斜視図が示されている。停止部又はロック特徴部２３６は、図２４Ｂを参照して上述したようにモジュールレールガイド２０６に設けられている孔２１９と整列する一連の孔２３８を有している。締結部（図示せず）を孔２３８中に挿入して停止部又はロック特徴部２３６をモジュールレールガイド２０６に締結することができる。停止部又はロック特徴部２３６は、停止部又はロック特徴部２３６の各側に設けられた互いに反対側のラッパ状に広げられた部分２４０を有し、これらラッパ状広がり部分は、プラットホーム２４２を有し、光ファイバモジュール２０４の前側端部２３２は、光ファイバモジュール２０４がシャーシ２０２の第１の端部２０８から前方に延びるのを阻止するようこれらプラットホーム２４２に当接している。
【００４７】
図２７は、光ファイバ機器２００の平面図であり、光ファイバモジュール２０４は、２つのモジュールレールガイド２０６相互間で光ファイバ機器２００内に設置されている。図２７に示されているように、光ファイバモジュール２０４は、シャーシ２０２の前側端部２１４まで前方に伸長されており、光ファイバモジュール２０４の前側端部２３２は、光ファイバモジュール２０４が光ファイバ機器２００の前側端部２１４を越えて伸長されるのを阻止するよう停止部又はロック特徴部２３６のプラットホーム２４２に当接している。
【００４８】
図２８は、後方設置型光ファイバモジュールを支持することができるよう構成された光ファイバ機器の更に別の実施形態を示している。図２８に示されているように、光ファイバ機器３００は、１つ又は２つ以上の光ファイバモジュール３０４を支持したシャーシ３０２を有している。光ファイバモジュール３０４は、シャーシ３０２に取り付けられているモジュールレールガイド３０６の形態をしたガイドシステムによって支持され、その結果、光ファイバモジュール３０４の各々がモジュールレールガイド３０６周りに並進することができるようになっている。具体的に説明すると、光ファイバモジュール３０４は、シャーシ３０２の後側部分３０８からモジュールレールガイド３０６中に後方から設置可能であるのが良く、そして、光ファイバモジュール３０４をモジュールレールガイド３０６内でシャーシ３０２の前側端部３１０まで前方に伸長させることができる。
【００４９】
図２９は、図２８に示されている光ファイバ機器３００を後ろから見た斜視図であり、光ファイバ機器３００内に設置された一連の後方設置型光ファイバモジュール３０４を示している。２つ以上の平面をなして又は２つ以上のロウ状に配置された光ファイバモジュール３０４を支持するモジュールレールガイド３０６を提供できることが注目される。このような場合、２つ以上のロウをなす光ファイバモジュール３０４を支持するために複数個のチャネルがモジュールレールガイド３０６中に設けられる。
【００５０】
図３０は、図２８及び図２９に示されている光ファイバモジュール３０４を詳細に示している。図３０に示されているように、光ファイバモジュール３０４は、光ファイバモジュール３０４の各側３１４、３１６に設けられたモジュールレール３１２Ａ、３１２Ｂを有している。モジュールレール３１２Ａ、３１２Ｂは、光ファイバモジュール３０４を支持するようモジュールレールガイド３０６のチャネル中に受け入れられるようになっている。各光ファイバモジュール３０４は、モジュールレールガイド３０６周りに独立して動くことができる。中間光ファイバ機器トレーは設けられていない。光ファイバモジュール３０４は、光ファイバモジュール３０４の前側端部３２０に設けられた一連の光ファイバアダプタ３１８を有している。光ファイバによる接続を確立するために一連の光ファイバコネクタ３２２を光ファイバアダプタ３１８に接続するのが良い。光ファイバアダプタ３２４が光ファイバモジュール３０４の後側端部３２６内に設けられていて、光ファイバアダプタ３２４に連結された光ファイバコネクタ３２２が光ファイバコネクタ３２２に連結された光ファイバとの光結合関係を確立するようになっている。光ファイバモジュール３０４は、光ファイバアダプタ３２４の各側に設けられた一連の引きループ３２８Ａ、３２８Ｂを更に有し、これら引きループは、光ファイバモジュール３０４を光ファイバ機器３００の後側部分３０８から取り出すのを助けることができる。
【００５１】
光ファイバモジュール３０４を図３１に示されているように光ファイバ機器３００の後側部分３０８から設置するため、シャーシ３０２の後側部分３０８のヒンジ式部分３３０Ａ、３３０Ｂを外方に引っ張ってモジュールレールガイド３０６が技術者にとってアクセス可能であるようにする。しかる後、光ファイバモジュール３０４及びそのモジュールレール３１２Ａ、３１２Ｂを図３１に示されているようにモジュールレールガイド３０６のチャネル中に挿入する。次に光ファイバモジュール３０４をモジュールレールガイド３０６内で前方に押し、ついには、光ファイバモジュール３０４がシャーシ３０２の前側端部３１０に達するようにする。光ファイバモジュール３０４を所望通りいったん設置すると、ヒンジ式部分３３０Ａ、３３０Ｂを閉じる。
【００５２】
光ファイバモジュール３０４の光ファイバコネクタ３２２にアクセスするためには、ヒンジによりモジュールレールガイド３０６にヒンジ式に取り付けられているモジュールガイドトレー３３２を図３２に示されているように前方に引いて下方に傾けるのが良い。各光ファイバモジュール３０４は、それ自体のモジュールガイドトレー３３２を有し、その結果、各光ファイバモジュール３０４は、個々にアクセス可能であると共にモジュールガイドレール３０６周りに独立して動くことができるようになる。モジュールガイドトレー３３２は、光ファイバモジュール３０４の光ファイバアダプタ３１８に接続されたコネクタ接続光ファイバケーブル（図示せず）の引き回しを支援する一連の光ファイバ引き回しガイド３３６を有するのが良い。図３３は、モジュールガイドトレー３３２に関する細部を示す横から見た斜視図である。光ファイバモジュール３０４の光ファイバアダプタ３１８にアクセスするためにモジュールガイドトレー３３２を前方に引っ張ってヒンジ３３４によりヒンジ式に下方に傾ける。モジュールガイドトレー３３２は、光ファイバをトレーの左側か右側かのいずれかを経てシャーシ３０２の側部３４０、３４２のいずれかまで挿通状態で引き回すことができるようにするＵ字形フランジ３３８を有するのが良い。さらに、光ファイバモジュール３０４の容易な並進を可能にするために引っ張ったり押したりすることができるようにする取っ手３４４を設けてこれをモジュールガイドトレー３３２に取り付けるのが良い。
【００５３】
図３４及び図３５は、更に別の実施形態としての光ファイバ機器４００を示している。この実施形態では、光ファイバモジュール４０２がシャーシ４０４周りに互いに独立してＺ軸方向に外方に並進することができるようにするモジュールガイドシステムが設けられている。図３４及び図３５に示されているように、２つの光ファイバモジュール４０２が設けられている。各光ファイバモジュール４０２は、光ファイバモジュール４０２の前側端部４０８内に設けられた一連の光ファイバアダプタ４０６を有している。光ファイバ機器４００内には各光ファイバモジュール４０２用のモジュールレールガイド４１０が設けられている。図３４及び図３５に示されているように、シャーシ４０４の幅全体を拡張させる２つの光ファイバモジュール４０２が設けられている。かくして、光ファイバ機器４００中には中間モジュールレールガイド４１０は不要であり又は設けられていない。シャーシ４０４の第１の端部４１２及び第２の端部４１４にはモジュールレールガイド４１０が２つだけ設けられている。ただし、光ファイバ機器４００が多数の光ファイバモジュール単一レベル又は単一平面内で支持するよう設計されている場合、中間モジュールレールガイドを設けるのが良い。各光ファイバモジュール４０２は、モジュールレールガイド４１０のチャネル４２０内に配置されるよう構成されたモジュールレール４１６を有している。このように、光ファイバモジュール４０２は、後方から設置可能であると共にこれらの専用モジュールレール４１６に沿って互いに独立して動くことができ、その結果、これら光ファイバモジュールを光ファイバ機器４００及びシャーシ４０４の前側端部４２２に向かって引き出すことができるようになっている。これは、図３４及び図３５に示されており、この場合、アクセスを可能にするために底部光ファイバモジュール４０２は、そのモジュールレール４１６に沿って前方に引かれる。所望のアクセスが完了した後、底部光ファイバモジュール４０２をそのモジュールレール４１６に沿ってシャーシ４０４内に押し戻すのが良く、その結果、光ファイバモジュール４０２の前側端部４２２がシャーシ４０４の前側端部４０８内に配置されるようになる。
【００５４】
本明細書において説明した本発明の多くの変形例及び他の実施形態は、上述の説明及び関連の図面において提供されている教示の恩恵を受ける当業者に想到される。これらの改造点としては、光ファイバモジュールの数及び形式、光ファイバ機器トレーの使用、光ファイバ接続形式、光ファイバアダプタの数、実装密度等が挙げられるが、これらには限定されない。
【００５５】
したがって、本発明は、開示した特定の実施形態には限定されず、改造例及び他の実施形態は特許請求の範囲に記載された本発明の範囲に含まれるものであることは理解されるべきである。本発明は、本発明の改造例及び変形例が特許請求の範囲に記載された本発明の範囲及びその均等範囲に属することを条件としてこのような改造例及び変形例を含むものである。特定の用語が本明細書において使用されているが、これら用語は、一般的且つ説明的な意味で用いられているに過ぎず、本発明を限定する目的で用いられているわけではない。
【図１】
0005722776.tif 000002
【図２Ａ】
0005722776.tif 000003
【図２Ｂ】
0005722776.tif 000004
【図３】
0005722776.tif 000005
【図４】
0005722776.tif 000006
【図５】
0005722776.tif 000007
【図６】
0005722776.tif 000008
【図７】
0005722776.tif 000009
【図８】
0005722776.tif 000010
【図９】
0005722776.tif 000011
【図１０】
0005722776.tif 000012
【図１１】
0005722776.tif 000013
【図１２】
0005722776.tif 000014
【図１３】
0005722776.tif 000015
【図１４】
0005722776.tif 000016
【図１５】
0005722776.tif 000017
【図１６Ａ】
0005722776.tif 000018
【図１６Ｂ】
0005722776.tif 000019
【図１７】
0005722776.tif 000020
【図１８】
0005722776.tif 000021
【図１９】
0005722776.tif 000022
【図２０】
0005722776.tif 000023
【図２１】
0005722776.tif 000024
【図２２】
0005722776.tif 000025
【図２３】
0005722776.tif 000026
【図２４Ａ】
0005722776.tif 000027
【図２４Ｂ】
0005722776.tif 000028
【図２５】
0005722776.tif 000029
【図２６Ａ】
0005722776.tif 000030
【図２６Ｂ】
0005722776.tif 000031
【図２７】
0005722776.tif 000032
【図２８】
0005722776.tif 000033
【図２９】
0005722776.tif 000034
【図３０】
0005722776.tif 000035
【図３１】
0005722776.tif 000036
【図３２】
0005722776.tif 000037
【図３３】
0005722776.tif 000038
【図３４】
0005722776.tif 000039
【図３５】
0005722776.tif 000040